Podtech/llm-jp-corpus-v4-ja_patent huggingface dataset:
(57)【要約】【課題】製筒器における帯状フイルムの横ずれ防止。【解決手段】溝型基盤１０両側の垂直壁１２の、２つ割り式の締め付け軸受け２３に、約１２０度角で折り曲げた丸棒製つの材２０を回転自在に支持し、上方から供給する帯状フイルム３０を、前記両つの材２０の下面との接触でもって筒状化する製筒装置であり、前記軸受け２３を支点とする前記各つの材２０の回転でもって、前記帯状フイルム３０の張度を調整する構成であり、前記つの材２０は帯状フイルム３０との接触面が少なく同フイルムの横ずれを防ぐのである。【選択図】図１
0003121556.tif 000002
【実用新案登録請求の範囲】
【請求項１】
V字型エッジに続く直線的なスリット両側の一対の基盤を溝型に配置し、これら両基盤の垂直壁それぞれに可動プレートを設置する一方、前記溝型基盤に向けて上方から供給する帯状フイルムを、前記両可動プレートの先端コーナとの接触でもって筒状化する製筒装置であって、該装置は、前記両可動プレートの先端コーナそれぞれに２つ割り式の締め付け軸受けを設置すると共に、これら各軸受けそれぞれに、前記帯状フイルムの内面に接触する約１２０度角で折り曲げた丸棒製つの材を回転自在に支持したことを特徴とする製筒装置。
【請求項２】
両可動プレートを丸棒製つの材と一体に、両基盤の垂直壁に対して、斜め上下に変位可能に設置する請求項１に記載の製筒装置。
【考案の詳細な説明】
【技術分野】
【０００１】
本考案は、帯状フイルムをその長手方向に沿って順次チューブ化する装置に関する。
【背景技術】
【０００２】
下記の特許文献１は、直線的なスリットを隔てて突き合うように配置した一対の水平な基盤の間に、V字型のエッジを形成する一方、前記両基盤の上に断面溝型に対向する一対の可動プレートを、前記V字型のエッジに沿ってスライド自在に配置すると共に、これら両可動プレートに沿って移動する帯状フイルムの蛇行を、同両可動プレートにそれぞれ翼板を設けて防止する製筒装置を開示する。
【０００３】
つまり前記の両翼板を、ピンを支点にして上下に回転させることにより、これら両翼板と、これら翼板に沿って移動する帯状フイルムとの摩擦力とが変化し、前記帯状フイルムの横方向へのずれを調整できるのであるが、前記各翼板と前記帯状フイルムとは広く面接触し、しかも前記両可動プレートそれぞれの前方に突き出ているため、前記翼板の僅かな回転で前記帯状フイルムとの接触摩擦が大きく変化し、前記帯状フイルムが横方向に移動して、調整がむつかしいという問題があった。
【０００４】
【特許文献１】特開２００１−２４７１０２号公報
【考案の開示】
【０００５】
本考案は前記問題を解決するために、V字型エッジに続いて真ん中の直線的なスリットを隔てる、該スリット両側の一対の基盤を溝型に配置すると共に、溝型のこれら両基盤の垂直壁に、可動プレートをそれぞれれ設置し、前記溝型基盤に向けて上方から供給する帯状フイルムを、前記両可動プレートの先端コーナとの接触でもって筒状化する製筒装置であって、該装置は、２つ割り式の締め付け軸受けを、単一の横軸線上に配置するように前記両可動プレートの先端コーナそれぞれに設置すると共に、これら各軸受けそれぞれに、前記帯状フイルムの内面に接触する約１２０度角で折り曲げた丸棒つの材を回転自在に支持して構成する。
【０００６】
一対の、約１２０度角に折り曲げた丸棒製つの材は、それぞれ軸受けを支点にして回転角度を調整でき、この場合、これらつの材は、各基盤の垂直壁との間を、約３０度角を保って回転し、前記溝型の基盤内に搬入される直前に、帯状フイルムの上面に接触して同帯状フイルムの、張り強度を調整するのであるが、前記帯状フイルムとの接触は棒接触であり、面接触の翼板に比較して帯状フイルムの横ずれ蛇行の調整許容度が大きく、調整が簡単なのである。
【実施例１】
【０００７】
図２の正面図に示すごとく、水平部１１と垂直壁１２とを備える一対の基盤１０を、機台１３上の一対のベースプレート１４に上に溝型になるように、ビス１５で固定する一方、前記両ベースプレート１４間の中央に、直線的なスリット１６を形成する。
【０００８】
図１の平面図に示すように、前記両側の垂直壁１２が備わる両基盤の、V字型エッジ１８に前記のスリット１６は連続するものであり、ビス１５を緩めて斜めの間隙１９に沿い、前記の溝型定盤１０の間隔を調整することが可能である。
【０００９】
図３に示す側面図に示すように、前記定盤１０における垂直壁１２に傾斜状に固定したガイド２１に沿って、可動プレート２２を変位自在に設置し、該可動プレートの先端コーナに丸棒製のつの材２０を設ける。より具体的には図４のごとく前記つの材２０を、可動プレート２２のコーナに設置した軸受け２３に、矢印２４のごとく回転自在に支持するもので、ガイド２１及び長孔２５に沿って前記可動プレート２２は変位が自在であり、ねじ２６はその位置を固定するのである。
【００１０】
図５で見るように、前記の軸受け２３は、可動プレート２２に固定した台座２９と、同台座２９にビス２８でもって固定する押さえ材３０とからなる２つ割り型であって、その締め付け摩擦により前記つの材２０の傾斜角を固定する。
【００１１】
図１における両つの材２０の折り曲げ角度は約１２０度であり、両側の垂直壁１２に対して、前記つの材２０は約３０度角を保ち、移動する帯状フイルム３０は、これら両つの材２０の下面を摩擦しながら、基盤１０内に誘導されてチューブ化するのであり、前記軸受け２３を支点にして前記つの材２０の、上下への回転で、前記帯状フイルム３０の張度を調整することができるのである。
【図面の簡単な説明】
【００１２】
【図１】製筒装置平面図
【図２】前図正面図
【図３】前図側面図
【図４】部分拡大斜視図
【図５】つの材の軸受け拡大図
【符号の説明】
【００１３】
１０‥‥基盤
１２‥‥垂直壁
１６‥‥スリット
１８‥‥V字型エッジ
２０‥‥丸棒製つの材
２１‥‥ガイド
２２‥‥可動板
２３‥‥軸受け
２５‥‥傾斜スリット
２６‥‥締め付けねじ
３０‥‥帯状フイルム
【図１】
0003121556.tif 000003
【図２】
0003121556.tif 000004
【図３】
0003121556.tif 000005
【図４】
0003121556.tif 000006
【図５】
0003121556.tif 000007
(57)【要約】【課題】吸水性及び柔軟性に富み、汚れを効果的に拭き取ることができ、拭き取り対象物に汚れや水痕が残らず、乾湿両用が可能な布巾を提供すること。【解決手段】互いに積層された上表層１、中間層５及び下表層２を備え、上表層１及び下表層２は、ポリアミド繊維とポリエステル繊維とを混合した素材より成り、且つ、粗い単繊維を微細化した繊維を、多数の八字状の目が整列した八の字構造３に編織した布であって、八字状の目にはそれぞれ三角孔４が形成され、中間層５は、粗い単線を微細化した縦横の繊維を、上下互い違いに交差させた十文字構造に編織した布より成る。【選択図】図７
0003121580.tif 000002
【実用新案登録請求の範囲】
【請求項１】
互いに積層された上表層、中間層及び下表層を備え、前記上表層及び下表層は、ポリアミド繊維とポリエステル繊維とを混合した素材より成り、且つ、粗い単繊維を微細化した繊維を、多数の八字状の目が整列した八の字構造に編織した布であって、前記八字状の目にはそれぞれ三角孔が形成され、前記中間層は、粗い単繊維を微細化した縦横の繊維を、上下互い違いに交差させた十文字構造に編織した布より成ることを特徴とした布巾。
【考案の詳細な説明】
【技術分野】
【０００１】
本考案は、汚れの拭き取りに用いる布巾に関する。
【背景技術】
【０００２】
従来、汚れを拭き取るための布巾は、図１及び図２に示すように、粗い単繊維Ａを織った織布Ｃを複数枚重ね、周縁を熱又は超音波で処理して成る。
このような布巾は、湾曲剛性が大きくて扱い難い、目が粗く繊維密度が低いので耐磨耗性が低い、物体との接触面積が小さくて塵埃Ｄを吸着し難い、周縁部から塵を発生しやすい、製造工程での処理が雑で品質に劣る等の様々な欠点があった。
【考案の開示】
【考案が解決しようとする課題】
【０００３】
本考案が解決しようとする課題は、吸水性及び柔軟性に富み、汚れを効果的に拭き取ることができ、拭き取り対象物に汚れや水痕が残らず、乾燥した状態でも濡らした状態でも使用可能な布巾を提供することにある。
【課題を解決するための手段】
【０００４】
本考案の布巾は、互いに積層された上表層、中間層及び下表層を備え、前記上表層及び下表層は、ポリアミド繊維とポリエステル繊維とを混合した素材より成り、且つ、粗い単繊維を微細化した繊維を、多数の八字状の目が整列した八の字構造に編織した布であって、前記八字状の目にはそれぞれ三角孔が形成され、前記中間層は、粗い単繊維を微細化した縦横の繊維を、上下互い違いに交差させた十文字構造に編織した布より成る。
上表層及び下表層は、ポリアミド繊維に比べてポリエステル繊維を多く含む。
【考案の効果】
【０００５】
本考案によれば、拭われた物体の表面の塵埃が微細な繊維によって確実に除去され、拭い取られた塵埃は上表層或いは下表層の三角孔を通して中間層に達し、中間層上に広がって取り込まれると共に、吸水性が高いため、物体の表面に塵埃が付着して汚れたり水痕が付く心配がない。
また、微細な繊維を編織した柔軟性のある布より成るので、拭われた物体の表面が磨耗し難く、乾燥した状態でも濡らした状態でも拭き取りを行うことができる。
【考案を実施するための最良の形態】
【０００６】
以下、本考案の実施例を図面に基づいて詳細に説明する。
本考案の布巾７は、図３に示すように、上表層１、中間層５及び下表層２を積層して成る。
上表層１及び下表層２は、粗い単繊維を微細化し、微細化した繊維を編織した布であって、ポリアミド繊維２５％とポリエステル繊維７５％とを混合した素材より成る。
また、上表層１及び下表層２は、図４及び図６に示すように、メリヤス編み等により、八字状の目が多数整列した八の字構造３に編織される。
各八字状の目にはそれぞれ三角孔４が形成され、これらの三角孔４が砂粒や塵埃を収容するようになっている。
【０００７】
中間層５は、粗い単繊維を微細化した後、微細化した繊維を編織した布であり、図５に示すように、平織り等によって、縦横の繊維を上下互い違いに交差させた十文字構造６に編織されている。
【０００８】
この布巾７は、図１０に示す手順で製造される。
まず、繊維準備工程において、粗い単繊維を微細化して微細繊維を用意し、次いで、織布工程で、微細な繊維を極細針により編織して、上表層１、中間層５及び下表層２となる布を編織する。
次に、染色工程において、布を白色に脱色するか、適宜色に染色してから、定型化工手で、脱水した布を積層し、所定の大きさ・形状に切断する。
さらに、レーザーカット工程で、積層した上表層１、中間層５及び下表層の周縁をレーザーによりほつれないよう処理する。
次いで、洗浄工程において、クリーンルーム環境下で純水を用いて洗浄し、その後、包装工程において、クリーンルームで真空包装し、無塵・無菌状態の布巾７を得る。
【０００９】
この布巾７で拭き取りを行うと、拭われた物体の表面の塵埃８が微細な繊維によって確実に除去され、図８及び図９に示すように、拭い取られた塵埃８は上表層１或いは下表層２の三角孔４を通して中間層５に達し、十文字構造６を有する中間層５上に広がって取り込まれると共に、吸水性が高いため、塵埃８が再度物体の表面に付着して汚したり、水痕が付く心配がない。
また、微細な繊維を編織した柔軟性のある布より成るので、拭われた物体の表面が磨耗し難く、乾燥した状態でも濡らした状態でも拭き取りを行うことができる。
【図面の簡単な説明】
【００１０】
【図１】従来の布巾の斜視図。
【図２】従来の布巾の使用状態を示す斜視図。
【図３】本考案の実施例を示す布巾の分解斜視図。
【図４】上表層の斜視図。
【図５】中間層の斜視図。
【図６】下表層の斜視図。
【図７】本考案の実施例を示す付近の斜視図及び要部拡大斜視図。
【図８】拭き取り時の布巾の側面図及び要部拡大側面図。
【図９】拭き取り時の布巾の斜視図及び要部拡大斜視図。
【図１０】布巾の製造手順を示す図。
【符号の説明】
【００１１】
１  上表層
２  下表層
３  八の字構造
４  三角孔
５  中間層
６  十文字構造
７  布巾
８  塵埃
【図１】
0003121580.tif 000003
【図２】
0003121580.tif 000004
【図３】
0003121580.tif 000005
【図４】
0003121580.tif 000006
【図５】
0003121580.tif 000007
【図６】
0003121580.tif 000008
【図７】
0003121580.tif 000009
【図８】
0003121580.tif 000010
【図９】
0003121580.tif 000011
【図１０】
0003121580.tif 000012
(57)【要約】      （修正有）【課題】電気的発熱体に通電するための充電式電池と、ACアダプターを差し替えて使用することを可能にしてACアダプターの経済性と充電式電池の機動性を両立させるウオーム服を提供する。【解決手段】上半身に密着しやすい伸縮性のある生地を用いた服の背中部分等にポケットを設け、内部に電気的発熱体を入れる。電気的発熱体は、ニクロム線、カーボン抵抗体、面状発熱体など、どんな種類の物でも良い。発熱体に電力を供給するコードの端末にはコネクタ（オス）が装着されていて、この部分にACアダプターもしくは充電池のいずれかのコネクタ（メス）を挿入出来る。また、電気的発熱体とACアダプターを接続する配線の途中にコネクタを設けることにより、一時的な移動時にはコネクタの抜き差しが可能で、操作性が向上する。【選択図】図１
0003121105.tif 000002
【実用新案登録請求の範囲】
【請求項１】
服と電気的発熱体を組み合わせて加温するウオーム服において、電気的発熱体の電源に充電池とACアダプターを切り替えて使用することを特徴とするウオーム服。
【考案の詳細な説明】
【技術分野】
【０００１】
本考案は、服と電気的発熱体を組み合わせて加温するウオーム服に関するものである。
【背景技術】
【０００２】
充電池の電力を使用して電気的発熱体を使用する加温服は従来から考案されていました。またAC電源を使用する加温服も数多く提案されています。それぞれに良い点もあるが欠点を補うことが出来なかった。
【０００３】
【特許文献１】登録実用新案第３００５９３０号
【考案の開示】
【考案が解決しようとする課題】
【０００４】
電気的発熱体の電源に充電式電池を使用すると、移動の制限が無く便利である反面、充電池が重く特に女性の場合は身に付けるのが不便という問題があった。また充電池の繰り返し使用の寿命も５００回程度と短く、やがてはゴミとして廃棄せざるを得ない。さらに服と電気的発熱体は安価に入手可能であるが、充電池は非常に高価で、製品価格の大部分を占める割には、その主要部分が消耗品となる欠点があった。
【０００５】
一方、AC電源を使用するタイプでは、配線が邪魔になり、移動するたびにコンセントを抜く操作が必要で、わずらわしいという欠点があった。
【課題を解決するための手段】
【０００６】
本発明は、電気的発熱体に通電するための充電式電池と、ACアダプターを差し替えて使用することを可能にしてACアダプターの経済性と充電式電池の機動性を両立させることを目的とする。
【０００７】
また、電気的発熱体とACアダプターを接続する配線の途中にコネクタを設けることにより、一時的な移動時にはコネクタの抜き差しが可能で、操作性を向上させた。
【考案の効果】
【０００８】
本考案により背筋を効果的に加温することにより、エアコン等の部屋全体を暖房するための電力消費を押さえることが出来る。デスクワーク等の移動を伴わない作業環境の場合にはACアダプターを使用し、この場合は充電池を使用する場合と比較して、充電効率を考慮しなくても良い分、省エネ効果が大きい。
【０００９】
ACアダプター使用時に移動が必要になった場合にはケーブル途中に設けられたコネクタを抜くことで短時間の移動が可能になる。
【００１０】
常に移動を伴う作業や屋外作業では、充電池を使用すると発熱状態を維持できる。ACアダプターと充電池を併用した場合には充電池の消耗を押さえて寿命を延ばすとともに充電池の重さによる着くずれや、肩こり等からも開放される。また充電池の充電を忘れてしまった場合でもACアダプターで使用できるメリットもある。
【００１１】
本発明のウオーム服を着用すると、冬場の寒い時に防寒着を使用しなくても通常の服装で寒さをしのげるので作業性が良い。また、使い捨てカイロと異なり、熱くなった時には通電をOFFにすることにより熱くなり過ぎることを防ぐことができる。使い捨てカイロは一回の使用で産業廃棄物となるので地球資源の節約にも貢献できる。
【実施例】
【００１２】
上半身に密着しやすい伸縮性のある生地を用いた服の背中部分等にポケットを設け、内部に電気的発熱体を入れる。電気的発熱体は、ニクロム線、カーボン抵抗体、面状発熱体など、どんな種類の物でも良い。発熱体に電力を供給するコードの端末にはコネクタ（オス）が装着されていて、この部分にACアダプターもしくは充電池のいずれかのコネクタ（メス）を挿入出来る。オス、メスは逆になっても差し支え無い。
【００１３】
ACアダプターにはトランス式とスイッチング方式があるが、発熱体の電力消費は常に一定では無く、冷えた状態からの通電開始時には大電流になり、温度が安定すると保温のみの小電力となるために、スイッチング方式のACアダプターの方が相性は良い。
【００１４】
充電池にはニッケル水素充電池又はリチュウムイオン電池等、体積あたりの充電容量の大きい充電池が好ましい。充電池は、服のポケットもしくはベルトに固定して使用する。
【産業上の利用可能性】
【００１５】
本考案は身体上半身の加温具に関するものであり、医療、オフィス用途、一般家庭など多岐にわたって使用でき、省エネルギーに寄与するものである。
【図面の簡単な説明】
【００１６】
【図１】本考案の一実施例の全体構造を表す説明図である。
【符号の説明】
【００１７】
１：  服
２：  ポケット
３：  電気的発熱体
４：７：１０：  コード
５：  コネコタ（オス）
６：９：  コネクタ（メス）
８：  ACアダプター
１１：  充電池
【図１】
0003121105.tif 000003
(57)【要約】【課題】  上衣における携帯用小物類を傷付けず持ち歩くことを目的としたポケットであり、使い手が使いたいという気持ちにさせるためのポケットの提供。【解決手段】胸ポケットと脇ポケットのポケット袋布を共有させることで、両ポケットを貫通した状態にする。胸ポケットは通常の深さの約3倍にして、使い手が携帯用小物類を入れたときに味わう新しい感覚を利用し、使いたいという気持ちにさせるための要素としてポケットを使う楽しさを生み出す。【選択図】図１
0003121197.tif 000002
【実用新案登録請求の範囲】
【請求項１】
上衣の左右の前身頃左右に携帯用小物類の収納用の胸シームポケットを設けると共に、同じく携帯用小物類の収納用の脇シームポケットを設け、胸シームポケットと脇シームポケットがポケット内で貫通するようにポケット袋布を相互のポケットに共有させ、胸シームポケットは胸切り替え線に脇シームポケットは脇線に逢着した上衣。
【考案の詳細な説明】
【技術分野】
【０００１】
本考案は胸ポケット口から携帯用小物類を収納し、脇ポケット口から収納した携帯用小物類を取り出すことができる上衣に関するものである。
【背景技術】
【０００２】
携帯用小物類を持ち歩くためのポケット。
【特許文献１】特開２００３−２７８０１８号公報
【考案の開示】
【考案が解決しようとする課題】
【０００３】
手持ちの鞄に携帯電話や鍵などの携帯用小物類を収納することは、鞄の中の他のものとの接触により小物類に傷がつく可能性を持つ。また、特に個人情報を主とするデータの多くが記憶されている携帯電話の場合は、より自分の身に近い位置で管理すべきとも考えられる。本考案は鞄に入れるなどの他の持ち歩き手段よりもポケットに入れて持ち歩くという手段を選択させる。
【０００４】
通常の胸ポケットに小物類を収納していると、日常動作の中で腰を屈めるなどの体位により収納した小物類を落下させてしてしまうという危険性が高い。本考案は、胸ポケットに収納するときにおける落下の危険性を排除する。
【０００５】
ポケットは、ポケットに物を収納したときに生じる洋服のシルエットの崩れや体に感じる違和感により、実用的に利用されない傾向を持つ。本考案はポケットの存在を目立たせずすっきりとしたシルエットを保たせる。
【課題を解決するための手段】
【０００６】
胸ポケットの深さを通常の約3倍とし、携帯用小物類を取り出すための胸ポケットに通じる脇ポケットを設ける。真下に伸びている胸ポケットに対して脇ポケットは、やや斜め上から通じるようになっている。ポケット袋布はＬ字の形状とする。
【０００７】
ポケットの種類はシームポケットとし、胸ポケット口は携帯用小物類を入れるために適した大きさ、脇ポケット口は手を入れて携帯用小物類を取り出すために適した大きさとする。
【考案の効果】
【０００８】
通常の3倍の深さのポケットに携帯用小物類を入れたときに感じる感触を利用した、記憶に残るポケットとなっており、深いポケットが使い手を楽しませる要素ともなっているため、鞄に入れるなどの他の持ち歩き手段よりもポケットに入れて持ち歩くという手段を選択させることができる。また、胸ポケットの深さを通常の約3倍とすることで落下の危険性を排除する。
【０００９】
単に胸ポケットと脇ポケットを貫通させただけではなく、シームポケットを応用することでポケットの存在を目立たせずにスッキリとしたシルエットを保つことができる。つまり、ポケットの存在感のないシンプルな外観と使ったときに感じる新たな感覚とのギャップにより、使い手が持っている胸ポケットへの既成概念を刺激しポケットに興味を持たせることで、使い手が使いたいと思うポケットとして成立させることができる。
【考案を実施するための最良の形態】
【００１０】
胸ポケットをシームポケットとするために、胸に切り替え線を設ける。脇ポケットは、通常の脇線を利用する。また、利用頻度が多いポケットとなるためにそれぞれのポケット口には十分な閂止めを施す。
【００１１】
ポケット袋布は、携帯用小物類の収納時にかかる、ある程度の荷重には耐えることが出来、更に脇ポケットに到達する妨げにならない布地を利用し、袋布のねじれやふら付きを無くすために、縫い代を前中心見返しに縫い止め固定させる。
【００１２】
脇ポケットは主に取り出し口として機能するため、手の入れやすい高さを考慮して設ける。
【実施例１】
【００１３】
図１は本考案の上衣の実施例を示す正面図で、ポケットに携帯用小物類を収納した状態を示す。上位１の前身頃左右に対称な形で貫通した胸シームポケット２と脇シームポケット３を設ける。
【００１４】
図２は本考案の上衣の実施例を示す正面図で上衣の左前身頃を開いた状態を示す。ポケット袋布は前中心見返し４に５ｍｍ程度縫い止める。ポケット袋布５は図のようにＬ字とする。
【図面の簡単な説明】
【００１５】
【図１】本考案に係る実施例を示す正面図である。
【図２】本考案に係る実施例を示す正面図で左前身頃を開いた状態を示す。
【符号の説明】
【００１６】
１上衣
２胸シームポケット
３脇シームポケット
４前中心見返し
５ポケット袋布
6携帯用小物
【図１】
0003121197.tif 000003
【図２】
0003121197.tif 000004
(57)【要約】【課題】  ドラム型コア下鍔部底面に接続端子となる金属片を固着する面実装インダクタにおいて、製造不具合を低減し、安価に製造でき、高性能な面実装インダクタを構成できる金属片の掛け止め構造を提供する。【解決手段】  接続端子となる金属片にスプリング機構を備え、ドラム型コアの下鍔部に装着できる掛け止め構造を備える。【選択図】        図２
0003121191.tif 000002
【実用新案登録請求の範囲】
【請求項１】
巻軸部の両端に鍔部を設けてなるドラム型コアの該巻軸部に、巻線をからげて半田接続するからげ端子部と実装半田付けする電極部と、前記ドラム型コアの下鍔部周縁に起曲されて下鍔部上面に先端爪部が掛け止めされる突起部とを備えた金属片を、前記ドラム型コアの下鍔部の底面側に直接接着固定する構造の面実装インダクタにおいて、前記金属片にスプリング機構を備え、金属片の塑性変形などの工程を必要とせず、ドラム型コアに装着できる掛け止め構造を設けたことを特徴とする面実装インダクタ。
【考案の詳細な説明】
【技術分野】
【０００１】
本考案は、携帯電話、デジタルカメラ、ノート型パーソナルコンピュータ等の電子機器の回路基板に面実装するチョークコイル等のインダクタの接続端子構造に関し、ドラム型コアの下鍔底面に直接取り付ける金属片の掛け止め構造に関するものである。
【背景技術】
【０００２】
背景技術として、特許第３４１１７５８号の面実装インダクタが知られている。
【０００３】
図１は、背景技術の面実装インダクタを示す。ドラム型コアの下鍔部１ｂの底面側に接続端子となる金属片２を接着固定し、金属片２はＡ、Ｂ方向へ曲げられて先端爪部３によってドラム型コアの下鍔部に掛け止めされる構造となっている。
【特許文献１】特許第３４１１７５８号
【考案の開示】
【考案が解決しようとする課題】
【０００４】
しかしながら、ドラム型コアに金属片を接着固定した後に金属片を曲げると、接着剤が剥がれてしまったり、ドラム型コアを破損してしまったりといった不具合が発生してしまう。また、金属片の曲げ工程も必要であるから製造コストが高価になってしまう。更に、本来巻軸部１ｃに巻線されるコイルは最大でドラム型コアの下鍔部外径まで巻線することが可能なのだが、従来の技術ではドラム型コアの下鍔部に掛け止めされる先端爪部があるため、ドラム型コアの下鍔部外径まで巻線することはできない。そのため、インダクタとしての性能が低下してしまうという問題点があった。
【０００５】
本考案はこのような課題に鑑み創案されたもので、上記のような接着剤の剥れやドラム型コアの破損などの製造不具合を低減し、安価に製造でき、高性能な面実装インダクタを構成できる金属片の掛け止め構造を提供することを目的とする。
【課題を解決するための手段】
【０００６】
上記課題を解決するために、請求項１記載の本考案の面実装インダクタは、接続端子となる金属片にスプリング機構を備え、金属片の塑性変形などの工程を必要とせず、ドラム型コアの下鍔部に装着できる掛け止め構造を設けたことを特徴とする。
【考案の効果】
【０００７】
本考案によれば、金属片の塑性変形などの工程を必要とせずに、金属片をドラム型コアの下鍔部に装着できるため、接着剤の剥がれやドラム型コアの破損などの製造不具合を低減でき、安価に製造でき、高性能な面実装インダクタを提供できるという利点がある。
【考案を実施するための最良の形態】
【０００８】
以下、図面により、本発明の実施の形態について説明する。なお、以下の各実施形態において、従来の技術の欄で説明した部材と同様の機能を有する部材については同じ符号を付し、説明を一部省略する。
【０００９】
図２は本実施形態に係る面実装インダクタの接続端子となる金属片のスプリング機構を示す図である。ドラム型コアを金属片２’へ挿入しようとすると下鍔部１ｂ’が金属片２’の先端爪部３’と接触し、先端爪部３’はＣ方向へ押し広げられる。金属片２’は弾性変形状態であり、ドラム型コアの下鍔部１ｂ’の底面が金属片２’に接触するまで挿入すると金属片２’は弾性変形状態から元の形状に戻り、金属片２’の先端爪部３’によってドラム型コアの下鍔部１ｂ’に掛け止めされる。また、金属片２’の先端爪部３’のｔの寸法は０．０５〜０．２０ｍｍが最適な寸法であり、十分な掛け止め強度を得ることができ、巻軸部１ｃに巻線されるコイルの最大外径にも大きな影響を与えずにすみ、高性能なインダクタを構成できる。
【００１０】
図３の（Ｘ）は本実施形態に係る面実装インダクタの平面図（上鍔部は省略）、図３の（Ｙ）は下面図である。
【００１１】
以上、本考案の実施の形態について説明したが、本考案は上述の実施形態のものに限定されるものではなく、本考案の趣旨を逸脱しない範囲で種々の変形が可能である。
【図面の簡単な説明】
【００１２】
【図１】背景技術の面実装インダクタを示す図である。
【図２】本考案の一実施形態に係る面実装インダクタの接続端子となる金属片のスプリング機構を示す図である。
【図３】本考案の一実施形態に係る面実装インダクタを示す図であり、（Ｘ）は平面図、（Ｙ）は下面図である。
【符号の説明】
【００１３】
１ａ  ，１ａ’  上鍔部
１ｂ  ，１ｂ’  下鍔部
１ｃ  ，１ｃ’  巻軸部
２    ，２’    金属片
３    ，３’    先端爪部
４    ，４’    からげ端子部
Ａ              突起部の折曲方向
Ｂ              先端爪部の折曲方向
Ｃ              金属片の弾性変形方向
【図１】
0003121191.tif 000003
【図２】
0003121191.tif 000004
【図３】
0003121191.tif 000005
(57)【要約】【課題】  従来のピット式立体駐車場においては、パレットとピット壁面との間に隙間が開いており、豪雨時には多量の水がパレット上を流れてこれらの隙間からピット内に流入し、駐車中の車両に浸水被害が生じることがあった。【解決手段】  そこで、地表の高さに位置しているパレットの奥部に止水板を止着することによってパレットの形状に工夫を加え、豪雨時に多量の水がパレット上を流れてピット壁面との隙間からピット内に流入することを防止するようにしたものである。本考案は、豪雨時にも特別な操作を必要とせず装置を作動させることも無いため、操作の遅れや装置の作動不良による浸水被害の発生を防止することができる。【選択図】  図３
0003121138.tif 000002
【実用新案登録請求の範囲】
【請求項１】
地表面下にも車を駐車させるピット式立体駐車場において、豪雨時に多量の水がパレット（駐車車両を載せる車台）上を流れてピット壁面との隙間からピット内に流入することを防止するため、地表の高さに位置しているパレットの車載面より上方に突出した左右の端部と、前記車載面の奥部で前記左右の端部に止着された止水板とで、入り口を除く三方が高い塵取り状にパレットを形成することを特徴とするピット式立体駐車場の浸水防止構造。
【考案の詳細な説明】
【技術分野】
【０００１】
本考案は、地表面下にも車を駐車させるピット式立体駐車場において、地表の高さに位置しているパレットの奥部に止水板を止着することによってパレットの形状に工夫を加え、豪雨時に多量の水がパレット上を流れてピット壁面との隙間からピット内に流入することを防止するようにしたものである。
【背景技術】
【０００２】
従来のピット式立体駐車場のパレットの形状は一枚の平面ではなく、駐車車両の左右を結ぶ方向には剛性を高めるための高低差が設けられており、最も高い部位はパレット左右の両端部であり車輪が移動する部位が最も低くなっている。また、駐車車両の前後を結ぶ方向にはほとんど高低差が設けられておらず、入口と奥部とではほぼ同程度の高さとなっている。
【０００３】
ピット式立体駐車場では、このようなパレットを上昇させ又は下降させる時にピット壁面との接触を防ぐため、パレットとピット壁面との間に一定の空隙が保たれる構造となっている。
【０００４】
従来のピット式立体駐車場やそれに用いられるパレットが、このような構造や形状であるため、豪雨によって駐車場の敷地が冠水するような場合には、多量の水がパレット上を流れてピット壁面との隙間からピット内に流入し、駐車中の車両に浸水被害が生じることがあった。
【０００５】
このような被害を防止するための従来の技術としては、豪雨時にパレットの前面に止水板を立設させるものや駐車場のピット全体を囲うように防水ゲートを立設させるもの（特開平０９−１５８６２３）等があるが、冠水の発生に応じて人の手を介して作動させたり、動力によって作動させたりする必要があった。
【考案の開示】
【考案が解決しようとする課題】
【０００６】
従来技術においては、ピット内への浸水を防止するための大がかりな装置を配置し、駐車場に冠水が生じる度ごとにそれを作動させる必要があった。このため、作動操作の遅れや作動の不具合の発生といった事態が生じることもあり、浸水被害を完全に防止することが困難であった。
【課題を解決するための手段】
【０００７】
そこで、地表の高さに位置しているパレットの車載面より上方に突出した左右の端部と、前記車載面の奥部で前記左右の端部に止着された止水板とで、入り口を除く三方が高い塵取り状にパレットを形成し、豪雨によって駐車場に冠水等が生じた場合でも、多量の水がパレット上を流れてピット壁面との隙間からピット内に流入することを防止するようにしたものである。
【考案の効果】
【０００８】
パレットの奥部に止水板を設置して、地表の高さに位置しているパレット全体を本考案のような形状にすることにより、冠水時にも多量の水がピット内に流入することが無くなり、駐車中の車両の浸水被害を容易に防止することができる。
【０００９】
本考案は、パレットの奥部に止水板を止着するというシンプルな構造であることから、パレットを当初からそのような形状に製作することも、また既存のパレットに止水板を新たに設置することも容易である。
【００１０】
止水板は、駐車車両の移動などには全く支障とならないようパレットの奥部に固定して設置することにより、平常時も豪雨時もその形態が変化することがない。すなわち、本考案のように止水板を設置すれば、その時点で浸水を防止する機能を発現することになり、豪雨時に改めて装置を作動させる必要が全く無いため、従来技術では完全に排除できなかった装置の作動の遅れや作動不良に起因する浸水被害をも防止することができる。
【考案を実施するための最良の形態】
【００１１】
本考案により大きな効果を得るためには、パレット１に止着する止水板２の高さについてはパレットの左右の端部３の高さ以上とし、その設置する位置については駐車車両の車輪や車体と接触することなく、パレット上での車両の移動や種々の作業などに支障が生じないようパレットの車載面の奥部４とする。また止水板は、パレットの車載面や左右の端部との間に隙間ができないように設置することが重要である。
【００１２】
このようにパレットの車載面より上方に突出した左右の端部３と、前記車載面の奥部で前記左右の端部に止着された止水板２とによって、入り口を除く三方が高い塵取り状のパレットを形成することにより、豪雨時に駐車場に冠水するような事態が生じたとしても、従来のようにパレットとピット壁面５との隙間６から水がピット内に流入することが抑止され、ピット内に駐車中の車両の浸水被害を防止することができる。止水板については、豪雨時にも特別の操作を行う必要が無いようパレット奥部に止着することにより、設置した時点から浸水防止機能を発揮するものである。
【図面の簡単な説明】
【００１３】
【図１】ピット式立体駐車場の平面図である。
【図２】ピット式立体駐車場の側面図である。
【図３】車両の出入り口側から奥部を眺めたパレットの斜視図である。
【図４】パレットを斜め後方から眺めた奥端部の斜視図である。
【図５】パレット奥端部の拡大側面図である。
【符号の説明】
【００１４】
１  パレット（立体駐車場において駐車車両を載せる車台）
２  止水板
３  パレット左右の端部
４  パレットの最奥部
５  ピット壁面
６  パレットとピット壁面との隙間
【図１】
0003121138.tif 000003
【図２】
0003121138.tif 000004
【図３】
0003121138.tif 000005
【図４】
0003121138.tif 000006
【図５】
0003121138.tif 000007
(57)【要約】【課題】構造を簡素化し、沈泥の沈殿物を容易に吸上げることができる砂吸上げ用ヘッドを提供する。【解決手段】倒円錐形状を呈する本体１を有し、前記本体の上下端面の間の周壁には上から下へ幅が徐々に縮小する溝１１が多数に設けられている。隣接する溝１１の間には直線状の切り部１２が形成してあり、前記本体の中央には前記本体の上下端面を貫通する貫通孔１３が開設している。前記貫通孔を形成した中空軸１４には砂吸上げ装置の吸引パイプ２０が接続されている。沈殿物は、前記切り部により細かく切断され、上記吸引パイプに作用する吸引作用で貫通孔を通して吸上げられる。【選択図】図１
0003121143.tif 000002
【実用新案登録請求の範囲】
【請求項１】
倒円錐形状の本体を有し、前記本体の上下端面の間の周壁に上から下へ幅が徐々に縮小する溝を複数設け、隣接する溝の間に直線状の切り部を形成し、前記本体の中央に前記本体の上下端面を貫通する貫通孔を開設し、前記貫通孔を砂吸上げ装置に連通したことを特徴とする砂吸上げ用ヘッド。
【請求項２】
前記溝は、ほぼ断面Ｕ字状に形状されている請求項１に記載の砂吸上げ用ヘッド。
【請求項３】
前記本体の上端面には、前記貫通孔を形成する中空軸が形成され、この中空軸を砂吸上げ装置の吸引パイプに接続するようにした請求項１または２に記載の砂吸上げ用ヘッド。
【考案の詳細な説明】
【技術分野】
【０００１】
本考案は、砂吸上げ用ヘッドに係り、特に、砂吸上げ装置の末端の吸引パイプと連接し、沈泥の沈殿物を容易に吸上げることができる砂吸上げ用ヘッドに関するものである。
【背景技術】
【０００２】
従来の砂吸上げ用ヘッドとして「砂吸上げ及び水吸上げ用チューブヘッド」が知られている（例えば、特許文献１参照）。この装置は、チューブヘッド内にねじ軸を有し、チューブヘッドの下面側に砂噴出管を設けると共にチューブヘッドの背面に水管を設けてある。また、前記チューブヘッドの下面側には水流入口を設けてあり、内方には水流入口から入った水が流れる水流出口があり、この水流出口はポンプの吸込み口と連通し、前記ポンプの吸出口には水砂吸上げ用チューブが接続されている。なお、前記チューブヘッドの周面には軸線方向に平行する溝が複数設けてあり、前記各溝には、周面が内方に存する回転自在なロールが設けてある。前記ねじ軸は、駆動装置により常時に回転し、その螺旋の山部がチューブヘッドの前記水流入口から下方に露出している。なお、このねじ軸は周面がチューブヘッドの周縁に設けた上記複数のロールで支持されている。前記水管の上端に近接する箇所にはリリーフ弁を設けてあり、チューブヘッドの前記吸込み口との間には互いに連通するよう複数の水吸上げ孔を設けてある。前記砂噴出管には水中に開口するポンプを設けてあり、この砂噴出管の水噴出口がチューブヘッドの前記水流入口の外側に開口している。そのため沈泥の沈殿物を吸上げている際に、高圧の水が水噴出口から噴出されて水流入口の外側の砂に当り、これらを飛散させ、上記のねじ軸等を介して水砂吸上げ用チューブから砂吸上げ及び水吸上げを同時に達成することができる。
【特許文献１】台湾実用新案第３８５８０９号公報
【考案の開示】
【考案が解決しようとする課題】
【０００３】
上記のように従来の装置は、ポンプによる高圧の水を水流入口の外側に噴出し周囲の砂を飛散させて吸上げるようにしているから、装置の構成が極めて複雑になる。
【０００４】
本考案の主な解決課題は、構造を簡単化し、沈泥の沈殿物を容易に吸上げることができるようにした砂吸上げ用ヘッドを提供することである。
【課題を解決するための手段】
【０００５】
本考案によれば、倒円錐形状の本体を有し、前記本体の上下端面の間の周壁に上から下へ幅が徐々に縮小する溝を複数設け、隣接する溝の間に直線状の切り部を形成し、前記本体の中央に前記本体の上下端面を貫通する貫通孔を開設し、前記貫通孔を砂吸上げ装置に連通したことを特徴とする砂吸上げ用ヘッドが提供され、上記課題が解決される。
【考案の効果】
【０００６】
本考案に係る砂吸上げ用ヘッドは、上記にように構成され、構造が簡単であり、切り部で沈殿物を切断した後、砂吸上げ装置を駆動することにより沈泥の沈殿物を容易に吸上げることができる。
【考案を実施するための最良の形態】
【０００７】
以下、添付図面を参照して本考案の好適な実施の形態を詳細に説明する。
【０００８】
まず、図１と図２を参照する。本考案に係る砂吸上げ用ヘッドは、倒円錐形状を呈する本体１を有し、前記本体１の上下端面の間の周壁には上から下へ幅が徐々に縮小する好ましくはほぼ断面Ｕ字状の溝１１が多数に設けられ、隣接する溝１１の間には直線状の切り部１２が形成されている。前記本体１の中央には前記本体１の上下端面を貫通する貫通孔１３が開設され、前記貫通孔１３は本体の上端面に突設した中空軸１４に連通している。前記中空軸１４には砂吸上げ装置（図示せず）の吸引パイプ２０が接続され、上記貫通孔１３と砂吸上げ装置を連通している。
【０００９】
次に、本考案の内容、実施形態と長所を詳細に説明する。図２を参照し、本考案に係る砂吸上げ用ヘッドは、砂吸上げ装置に連接した後に、吸上げようとする沈泥の沈殿物層ＳＬの上方に設置される。この沈泥の沈殿物層ＳＬの上には、一般に水層Ｗがあり、沈泥の沈殿物層ＳＬの下には壊れた石層ＧＬがある。そして、上記ヘッドを沈殿物層に差し込むと、直線状の切り部１２により沈泥の沈殿物は、細かく切断される。その後、上記吸引パイプ２０からの吸引作用で水層Ｗの水が溝１１から本体の下方へ流れ込み、細かく切断された沈泥の沈殿物は散らされ、沈泥の沈殿物が貫通孔１３及び吸引パイプを経由して砂吸上げ装置に吸上げられる。上記の構造から明らかなように、本考案の砂吸上げ用ヘッドは、溝１１及び切り部１２を設けたことにより、直線状の切り部１２により沈泥の沈殿物を細かく切断した後、水層Ｗの水が溝１１から本体の下へ噴出する作用で前記細かく切断された沈泥の沈殿物を散らし、それにより、沈泥の沈殿物を貫通孔の下端から吸引して容易に砂吸上げ装置に吸上げることができる。
【００１０】
上記のように、本考案を、特定の実施例を参照にして説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１１】
【図１】本考案の斜視図である。
【図２】本考案の実施状態を示す概略図である。
【符号の説明】
【００１２】
１        本体                    １１        溝
１２      切り部                  １３        貫通孔
１４      中空軸                  ２０        吸引パイプ
【図１】
0003121143.tif 000003
【図２】
0003121143.tif 000004
(57)【要約】【課題】従来、バッグ内の整理にはそれぞれ小物入れ部材や間仕切りが必要であり、所望する小物をカバンやバッグから瞬時に取り出すことができる小物入れを提供する。【解決手段】開閉自在なクリップ３の一方の脚片３１をぬいぐるみ２に固着するとともに、前記クリップ３の他方の脚片３２を小物入れ本体１に固着して、小物入れ本体１とぬいぐるみ２とを接離自在とした小物入れである。【選択図】図１
0003121185.tif 000002
【実用新案登録請求の範囲】
【請求項１】
開閉自在なクリップの一方の脚片をぬいぐるみに固着するとともに、前記クリップ
の他方の脚片を小物入れ本体に固着して、小物入れ本体とぬいぐるみとを接離自在と
したことを特徴とする小物入れ。
【考案の詳細な説明】
【技術分野】
【０００１】
カバンやバッグ内に収納する小物入れに関する。
【背景技術】
【０００２】
携帯電話、財布、小銭入れ、定期入れ、名刺入れ、手帳等の小物をカバンやバッグ内に収納して場合一般には多数の小物が混在しているため所望する小物をカバンやバッグから瞬時に取り出すことができないという問題点を有していた。
【０００３】
そこで、このような問題点を解消するために、特許文献１のようにバッグ本体と、前記バッグ本体内に収容される各種形態の小物入れ部材との組み合わせによってバッグ内に収容すべき各種形態の小物入れ部材をバッグ内に整然と整理した状態で収容できるようにしたバッグ組合せ構造体が知られている。
【０００４】
また、特許文献２のようにバッグ本体内面の前後の一方から左右一対の柔軟な連結
材を延長し、バッグ本体の内部を前後に区画する硬質な間仕切りの左右端部を、一対
の連結材に取り付けて被収容物を整理して収容することができ、しかも、間仕切りの
移動が迅速に行えるバッグが知られている。
【０００５】
【特許文献１】実用新案登録第３０８０１２４号公報
【特許文献２】特開２００２−２３８６４２号公報
【考案の開示】
【考案が解決しようとする課題】
【０００６】
しかしながら特許文献１および特許文献２記載のバッグ内の整理にはそれぞれ小物入れ部材や間仕切りが必要であり、所望する小物をカバンやバッグから瞬時に取り出すには制約があるという不都合がある。
【０００７】
本考案は、上記不都合を解消し、所望する小物をカバンやバッグから瞬時に取り出すことができる小物入れを提供することを目的とする。
【課題を解決するための手段】
【０００８】
本考案は、上記事情に基づいてなされたもので、開閉自在なクリップの一方の脚片
をぬいぐるみに固着するとともに、前記クリップの他方の脚片を小物入れ本体に固着して、小物入れ本体とぬいぐるみとを接離自在にした小物入れを形成し、この小物入れをカバンやバッグの開口端に小物入れ本体が収容させた状態で小物入れを装着することを特徴とする。
【考案の効果】
【０００９】
本考案小物入れは、所望する小物をカバンやバッグから瞬時に取り出すことができる。
【考案を実施するための最良の形態】
【００１０】
以下、本考案の実施例を図面に基づいて説明する。
【００１１】
図1乃至図３において、小物入れ本体１は、布等の軟質材料からなる収容袋を備え、その上部には面状ファスナー(図示せず)で着脱するバンド４が設けられており、このバンド４にて前記小物入れ本体１内に収容する携帯電話（図示せず）が外に飛び出さないように保持している。
【００１２】
ぬいぐるみ２は立体もしくは平面体の形状をしているが、そのデザインは適宜選択すればよい。
【００１３】
クリップ３は下方に伸びるクリップ脚片３１とクリップ脚片３２とが軸を介してそれぞれ摘み片３１Aと摘み片３２Aとで開閉可能となっている。前記クリップ３の一方のクリップ脚片３１にはぬいぐるみ２が縫い付けられて固着されている。また、前記クリップ３の他方のクリップ脚片３２には小物入れ本体１が縫い付けられて固着されている。このように、小物入れ本体１とぬいぐるみ２とは前記クリップ３により、小物入れ本体背面１１とぬいぐるみ背面２１が接離自在となるよう小物入れが構成されている。
【００１４】
図４は上記構成の小物入れをカバンやバッグなどに取り付けた状態を示し、小物入れ本
体１がバッグＡ内でぬいぐるみ２がバッグA外となるようにバッグAの縁にクリップ３
で挟むことにより、小物入れ本体１がバッグＡに収容しているので、所望する小物を瞬時
に取り出すことができるという実用性に優れたものである。また、ぬいぐるみ２がバッグ
Ａの外にあり、デザイン性のよい小物入れを提供できるものである。
【図面の簡単な説明】
【００１５】
【図１】本考案の実施の形態を示す側面図である。
【図２】図１の小物入れを示す分解図である。
【図３】図1の小物入れを示す断面図である。
【図４】小物入れをカバンに取り付けた状態を示す斜視図である。
【符号の説明】
【００１６】
１ 小物入れ本体
２ ぬいぐるみ
３ クリップ
４  バンド
１１小物入れ本体背面
２１ ぬいぐるみ背面
３１  クリップ脚片
３２  クリップ脚片
３１A  摘み片
３２A  摘み片
【図１】
0003121185.tif 000003
【図２】
0003121185.tif 000004
【図３】
0003121185.tif 000005
【図４】
0003121185.tif 000006
(57)【要約】【課題】  時計、メダル、絵皿その他飾り付けしたい物品の大きさに合わせて支承の幅が変えられる飾り付け品支承装置を提供する。【解決手段】  左右の支承体１,２の上部及び下部奥側に透孔３〜６。各透孔間に圧縮スプリング１１,１２介挿。透孔及び圧縮スプリングにビス７,９貫通。外側に突出されたビス先端に蝶ナット８,１０螺合。各圧縮スプリングは圧縮された状態で各支承体の間に介挿されている。これで左右の支承体は、互いに離反。蝶ナットで各支承体の上部及び／又は下部の間隔が調節出来る。【選択図】  図１
0003121161.tif 000002
【実用新案登録請求の範囲】
【請求項１】
複数の支承体と該複数の支承体を連結する連結手段とを有し、
前記複数の支承体は飾り付け品の下面及び背面を支承し、
前記連結手段は前記複数の支承体を距離可変に連結する
ことを特徴とする飾り付け品支承装置。
【考案の詳細な説明】
【技術分野】
【０００１】
本考案は、飾り付け品支承装置に関し、特に時計、メダル、絵皿その他の物品を飾り付け品として机の上などに配置したい場合に、これらを支承するのに好適な飾り付け品支承装置に関する。
【背景技術】
【０００２】
レストラン、飲食店、宿泊施設、各家庭など、およそ人の出入りする場所や生活をする場所では、その雰囲気を高めるべく、種々の飾り付けが為される。例えば個人の場合、お気に入りの時計、記念のメダル、絵皿などを机の上に飾ったりする。
従来、このための支承装置は、その飾り付け品の大きさに合わせたその飾り付け品固有のものが多く使用されて来た。（参考：特許文献１。関連は薄いが、従来技術についての記述があるので。）
【特許文献１】特開２００６−６９０３
【考案の開示】
【考案が解決しようとする課題】
【０００３】
しかし、そもそも何を飾り付け品としたいかは、人によって異なる。このため、何かを飾り付けしたい場合に、その物品に支承装置が添付されていないということも多かった。また、添付されていても、その人の好みには合わないということもあった。
本考案の目的は、このような場合に好適な飾り付け品支承装置を実現することにある。特に、飾り付け品の大きさ如何に拘わらず適切な支承が可能な飾り付け品支承装置を実現することにある。
【課題を解決するための手段】
【０００４】
上記課題解決のため本考案飾り付け品支承装置では、複数の支承体と該複数の支承体を連結する連結手段とを有し、前記複数の支承体は飾り付け品の下面及び背面を支承し、前記連結手段は前記複数の支承体を距離可変に連結する。
【考案の効果】
【０００５】
本考案飾り付け品支承装置では、複数の支承体が連結手段により距離可変に連結されている。それ故、大きさが異なる飾り付け品に対しても支承体の距離を変化させることで柔軟に対応させられる。
その結果、製作、販売する側にとっては、例えば大と小だけというように、この商品の大きさについてのバリエーションを少なくすることができ、その分、色彩や模様、形状についてのバリエーションを増やすことが出来る。
【０００６】
例えば、品数を２４と想定したとき、大きさが４種類必要なら、色彩等のバリエーションは６となる。一方、大きさが２種類で足りるなら、色彩等のバリエーションは１２にすることが出来る。
また、購入する側にとっても、飾り付けしたい物品の大きさを気にせずに、色彩等を重点に商品を選択することが出来る。
【考案を実施するための最良の形態】
【０００７】
以下、本考案の詳細を、図示した実施の形態例の飾り付け品支承装置２０に基いて説明する。図１に飾り付け品支承装置２０の斜視を示す。図２に飾り付け品支承装置２０の正面を示す。図３に飾り付け品１７とこれを支承した右支承体２の右側面を示す。
これら図に於て、左右の各支承体１,２は、例えばプラスチック板の切り出しで形成される。両者は同じ形状であり、大きさの一例を示せば、高さ１６０mm、奥行き８３mm、板厚５.５mmである。各支承体１,２は、下面支承部１５,１６及び背面支承部１３,１４を有する。下面支承部１５,１６は飾り付け品１７の下面を支承し、背面支承部１３,１４は飾り付け品１７の背面を支承する。
【０００８】
各支承体１,２には、上部及び下部奥側に上部透孔３,４及び下部透孔５,６が穿設されている。各上部透孔３,４及び各下部透孔５,６の間には上部圧縮スプリング１１及び下部圧縮スプリング１２が介挿されている。これら各上部透孔３,４及び上部圧縮スプリング１１には、左支承体１の外側から右支承体２の外側まで、上部ビス７が貫通されている。右支承体２の外側に突出されたビス７の先端には上部蝶ナット８が螺合されている。同様に、各下部透孔５,６及び下部圧縮スプリング１２には下部ビス９が貫通されている。その先端には下部蝶ナット１０が螺合されている。
【０００９】
上部圧縮スプリング１１の開放時の長さは上部ビス７よりも長い。下部圧縮スプリング１２の開放時の長さも下部ビス９より長い。両者は夫々圧縮された状態で左右の支承体１,２の間に介挿されている。これにより、各支承体１,２は、互いに離反する方向に付勢されており、上部蝶ナット８をねじ込めば各支承体１,２の上部の間隔が狭くなり、下部蝶ナット１０をねじ込めば各支承体１,２の下部の間隔が狭くなる。各蝶ナット８,１０を逆に回転すれば、各支承体１,２の上部又は下部は離反する。
従って、飾り付けたい物品１７に大小があっても、これら蝶ナット８,１０を回動させれば、左右の支承体１,２の距離をその物品１７の大小に容易に合致させることが出来、種々の大きさの物品１７の飾り付けが可能になる。
【００１０】
なお、上部圧縮スプリング１１は省略しても良い。この場合、左右の支承体１,２の上部は単に上部ビス７と上部蝶ナット８で連結されるだけとなり、距離は不変となる。
また、距離可変にするための構造は、筋交いなどに使われるターンバックルの如きものでも良い。実施の形態例のビス７,９、蝶ナット８,１０、圧縮スプリング１１,１２という組み合わせには限定されない。ただ、構造的にはこの組み合わせが一番簡素である。コストが抑えられ、見栄えも良い。
【図面の簡単な説明】
【００１１】
【図１】実施の形態例の飾り付け品支承装置２０を示す斜視図。
【図２】実施の形態例の飾り付け品支承装置２０を示す正面図。
【図３】実施の形態例の右支承体２とそれに支承された飾り付け品１７を示す右側面図。
【符号の説明】
【００１２】
１…左支承体
２…右支承体
３,４…上部透孔
５,６…下部透孔
７…上部ビス
８…上部蝶ナット
９…下部ビス
１０…下部蝶ナット
１１…上部圧縮スプリング
１２…下部圧縮スプリング
１３,１４…背面支承部
１５,１６…下面支承部
１７…飾り付け品
２０…飾り付け品支承装置
【図１】
0003121161.tif 000003
【図２】
0003121161.tif 000004
【図３】
0003121161.tif 000005